(57)【要約】【課題】客先の要望に応じることができるドライバ（３０）を提供すること。【解決手段】本発明のドライバ（３０）は、階調電圧供給部（３８）と、チャージシェア実行部（４０）と、を具備している。階調電圧供給部（３８）とチャージシェア実行部（４０）は、複数ライン反転駆動方式を実行する。階調電圧供給部（３８）は、表示期間において、第１出力階調電圧をデータ線に供給する。第１出力階調電圧と第１出力階調電圧の逆極性の第２出力階調電圧との中間のコモン電圧を第１電圧とする。チャージシェア実行部（４０）は、表示期間の後のチャージシェア期間において、第１出力階調電圧と第１電圧との間の第２電圧をデータ線に供給する。【選択図】図２
2010256401.tif 000002
【特許請求の範囲】
【請求項１】
表示期間において、第１出力階調電圧をデータ線に供給する階調電圧供給部と、前記第１出力階調電圧と前記第１出力階調電圧の逆極性の第２出力階調電圧との中間のコモン電圧を第１電圧とし、
前記表示期間の後のチャージシェア期間において、前記第１出力階調電圧と前記第１電圧との間の第２電圧を前記データ線に供給するチャージシェア実行部と、
を具備するドライバ。
【請求項２】
第１駆動方式を実行させるための第１制御信号、又は、第２駆動方式を実行させるための第２制御信号を出力する指示部、
を更に具備し、
前記第１駆動方式を実行する場合、
前記階調電圧供給部は、前記表示期間において、前記第１出力階調電圧をデータ線に供給し、次の表示期間において、前記第２出力階調電圧を前記データ線に供給し、
前記チャージシェア実行部は、前記表示期間と前記次の表示期間とが切り替わる前記チャージシェア期間において、前記第１電圧を前記データ線に供給し、
前記第２駆動方式を実行する場合、
前記階調電圧供給部は、前記表示期間及び前記次の表示期間において、前記第１又は第２出力階調電圧を前記データ線に供給し、
前記チャージシェア実行部は、前記チャージシェア期間において、前記第２電圧を前記データ線に供給する、
請求項１に記載のドライバ。
【請求項３】
前記階調電圧供給部は、
前記第１制御信号に応じて、前記表示期間において、前記第１、第２出力階調電圧をそれぞれ複数の前記データ線のうちの第１、第２データ線群に供給し、前記次の表示期間において、前記第１、第２出力階調電圧の極性を反転してそれぞれ前記第１、第２データ線群に供給し、
前記第２制御信号に応じて、前記表示期間及び前記次の表示期間において、前記第１、第２出力階調電圧をそれぞれ前記第１、第２データ線群に供給し、
前記チャージシェア実行部は、
前記第１制御信号に応じて、前記チャージシェア期間において、前記第１電圧を前記第１、第２データ線群に供給し、
前記第２制御信号に応じて、前記チャージシェア期間において、前記第２電圧を前記第１、第２データ線群に供給する、
請求項２に記載のドライバ。
【請求項４】
前記チャージシェア実行部は、
前記表示期間及び前記次の表示期間において、前記階調電圧供給部と前記複数のデータ線とを接続し、前記表示期間と前記次の表示期間とが切り替わるチャージシェア期間において、前記階調電圧供給部と前記複数のデータ線との接続を解除する第１スイッチ部と、
前記第１制御信号に応じて、前記チャージシェア期間において、前記第１データ線群と前記第２データ線群とを接続する第２スイッチ部と、
前記チャージシェア期間において、前記第１データ線群の各々を接続する第３スイッチ部と、
前記チャージシェア期間において、前記第２データ線群の各々を接続する第４スイッチ部と、
を具備する請求項３に記載のドライバ。
【請求項５】
前記第３スイッチ部は、前記第１データ線群を短絡するための第１短絡用配線に接続され、前記チャージシェア期間において、前記第１データ線群の各々を前記第１短絡用配線を介して接続し、
前記第４スイッチ部は、前記第２データ線群を短絡するための第２短絡用配線に接続され、前記チャージシェア期間において、前記第２データ線群の各々を前記第２短絡用配線を介して接続する、
請求項４に記載のドライバ。
【請求項６】
前記第３スイッチ部は、前記チャージシェア期間において、前記第１データ線群の各々を直接接続し、
前記第４スイッチ部は、前記チャージシェア期間において、前記第２データ線群の各々を直接接続する、
請求項４に記載のドライバ。
【請求項７】
前記第１データ線群は、奇数列のデータ線であり、
前記第２データ線群は、偶数列のデータ線である、
請求項３〜６のいずれかに記載のドライバ。
【請求項８】
前記指示部は、仕様に応じて、前記第１又は第２制御信号を出力する、
請求項２〜７のいずれかに記載のドライバ。
【請求項９】
請求項１〜８のいずれかに記載のドライバと、
前記データ線が接続された表示部と、
を具備する表示装置。
【請求項１０】
表示期間において、第１出力階調電圧をデータ線に供給する第１ステップと、前記第１出力階調電圧と前記第１出力階調電圧の逆極性の第２出力階調電圧との中間のコモン電圧を第１電圧とし、
前記表示期間の後のチャージシェア期間において、前記第１出力階調電圧と前記第１電圧との間の第２電圧を前記データ線に供給する第２ステップと、
を具備する駆動方法。
【請求項１１】
第１駆動方式を実行させるための第１制御信号、又は、第２駆動方式を実行させるための第２制御信号を出力するステップ、
を更に具備し、
前記第１駆動方式を実行する場合、
前記第１ステップは、
前記表示期間において、前記第１出力階調電圧をデータ線に供給するステップと、
次の表示期間において、前記第２出力階調電圧を前記データ線に供給するステップと、
を含み、
前記第２ステップは、
前記表示期間と前記次の表示期間とが切り替わる前記チャージシェア期間において、前記第１電圧を前記データ線に供給するステップ、
を含み、
前記第２駆動方式を実行する場合、
前記第１ステップは、
前記表示期間及び前記次の表示期間において、前記第１又は第２出力階調電圧を前記データ線に供給するステップ、
を更に含み、
前記第２ステップは、
前記チャージシェア期間において、前記第２電圧を前記データ線に供給するステップ、
を更に含む請求項１０に記載の駆動方法。
【発明の詳細な説明】
【技術分野】
【０００１】
本発明は、表示データを表示するドライバ及びＴＦＴ（Ｔｈｉｎ  Ｆｉｌｍ  Ｔｒａｎｓｉｓｔｏｒ）型液晶表示装置に関する。
【背景技術】
【０００２】
ＴＦＴ型液晶表示装置が普及されている。ＴＦＴ型液晶表示装置は、表示部と、表示データを表示部に表示するドライバとを具備している。
【０００３】
表示部には、データ線が接続されている。ドライバは、１水平期間において、複数の階調電圧の中から、表示データに応じた出力階調電圧を選択し、データ線に供給する。ＴＦＴ型液晶表示装置では、表示部に液晶パネルが用いられる。そこで、表示部の画質の劣化を防止するために、ドライバによって水平期間毎に出力階調電圧の極性を反転させる駆動方式が採用されている。このような駆動方式は、１ライン反転駆動方式と呼ばれる。１ライン反転駆動方式については、特表２００１−５１５２２５号公報、特開２００７−５２３９６号公報に記載されている。
【先行技術文献】
【特許文献】
【０００４】
【特許文献１】特表２００１−５１５２２５号公報
【特許文献２】特開２００７−５２３９６号公報
【発明の概要】
【発明が解決しようとする課題】
【０００５】
１ライン反転駆動方式では、ドライバは、水平期間毎に、第１出力階調電圧と第２出力階調電圧とを交互にデータ線に供給する。第２出力階調電圧は、第１出力階調電圧の逆極性の電圧である。１水平期間は、表示期間と、チャージシェア期間とを含んでいる。チャージシェア期間は、表示期間と次の表示期間とが切り替わるときの期間であり、表示期間よりも非常に短い。ドライバは、表示期間、次の表示期間において、それぞれ、第１、第２出力階調電圧をデータ線に供給し、チャージシェア期間において、第１出力階調電圧と第２出力階調電圧との中間の電圧であるコモン電圧をデータ線に供給する。
【０００６】
このように、１ライン反転駆動方式では、ドライバが水平期間毎に出力階調電圧の極性を反転させているため、表示部の画質の劣化を防止することができる。一方、ドライバが１水平期間に第１又は第２出力階調電圧とコモン電圧とを交互にデータ線に供給するため、表示部の大型化に伴い、表示部を駆動するときの消費電力が多くなる。
【０００７】
しかし、客先の要望によっては、画質の劣化よりも消費電力の低減を優先する場合がある。客先の要望に応じることが望まれる。
【課題を解決するための手段】
【０００８】
以下に、発明を実施するための形態で使用される符号を括弧付きで用いて、課題を解決するための手段を記載する。この符号は、特許請求の範囲の記載と発明を実施するため形態の記載との対応を明らかにするために付加されたものであり、特許請求の範囲に記載されている発明の技術的範囲の解釈に用いてはならない。
【０００９】
本発明のドライバ（３０）は、階調電圧供給部（３８）と、チャージシェア実行部（４０）と、を具備している。階調電圧供給部（３８）とチャージシェア実行部（４０）は、複数ライン反転駆動方式を実行する。階調電圧供給部（３８）は、表示期間において、第１出力階調電圧をデータ線に供給する。第１出力階調電圧と第１出力階調電圧の逆極性の第２出力階調電圧との中間のコモン電圧を第１電圧とする。チャージシェア実行部（４０）は、表示期間の後のチャージシェア期間において、第１出力階調電圧と第１電圧との間の第２電圧をデータ線に供給する。
【００１０】
本発明のドライバ（３０）は、指示部（５０）を更に具備している。指示部（５０）は、１ライン反転駆動方式（第１駆動方式）を実行させるための第１制御信号（ＯＵＴ１１、ＯＵＴ２１）、又は、複数ライン反転駆動方式（第２駆動方式）を実行させるための第２制御信号（ＯＵＴ１２、ＯＵＴ２２）を出力する。１ライン反転駆動方式を実行する場合、階調電圧供給部（３８）は、表示期間において、第１出力階調電圧をデータ線に供給し、次の表示期間において、第２出力階調電圧をデータ線に供給する。チャージシェア実行部（４０）は、表示期間と次の表示期間とが切り替わるチャージシェア期間において、第１電圧をデータ線に供給する。複数ライン反転駆動方式を実行する場合、階調電圧供給部（３８）は、表示期間及び次の表示期間において、第１又は第２出力階調電圧をデータ線に供給する。チャージシェア実行部（４０）は、チャージシェア期間において、第２電圧をデータ線に供給する。
【発明の効果】
【００１１】
本発明によれば、客先の要望によっては画質の劣化よりも消費電力の低減を優先する場合、複数ライン反転駆動方式を採用することにより、客先の要望に応じることができる。
【００１２】
本発明によれば、客先の要望によっては１ライン反転駆動方式、複数ライン反転駆動方式のどちらかを選択的に使用する場合、指示部（５０）が第１又は第２制御信号を出力することにより、客先の要望に応じることができる。
【図面の簡単な説明】
【００１３】
【図１】図１は、本発明の実施形態によるＴＦＴ型液晶表示装置１の構成を示している。
【図２】図２は、本発明の実施形態によるＴＦＴ型液晶表示装置１のソースドライバ３０の構成を示している。
【図３】図３は、本発明の実施形態によるＴＦＴ型液晶表示装置１のソースドライバ３０の指示部５０の構成を示している。
【図４】図４は、本発明の実施形態によるＴＦＴ型液晶表示装置１のソースドライバ３０のチャージシェア実行部４０の構成を示している。
【図５】図５は、本発明の実施形態によるＴＦＴ型液晶表示装置１の動作として、ソースドライバ３０の指示部５０の動作を示すタイミングチャートである。
【図６】図６は、本発明の実施形態によるＴＦＴ型液晶表示装置１の動作として、ソースドライバ３０のチャージシェア実行部４０の動作を示すタイミングチャートである。
【図７】図７は、本発明の実施形態によるＴＦＴ型液晶表示装置１において、複数ライン反転駆動方式の効果を説明するための図である。
【図８】図８は、本発明の他の実施形態によるＴＦＴ型液晶表示装置１のソースドライバ３０の指示部５０の構成を示している。
【図９】図９は、本発明の他の実施形態によるＴＦＴ型液晶表示装置１のソースドライバ３０の指示部５０の構成を示している。
【図１０】図１０は、本発明の他の実施形態によるＴＦＴ型液晶表示装置１のソースドライバ３０の指示部５０の構成を示している。
【発明を実施するための形態】
【００１４】
以下に添付図面を参照して、本発明の実施形態によるドライバが適用されるＴＦＴ（Ｔｈｉｎ  Ｆｉｌｍ  Ｔｒａｎｓｉｓｔｏｒ）型液晶表示装置について詳細に説明する。
【００１５】
図１は、本発明の実施形態によるＴＦＴ型液晶表示装置１の構成を示している。
【００１６】
本発明の実施形態によるＴＦＴ型液晶表示装置１は、ＬＣＤ（Ｌｉｑｕｉｄ  Ｃｒｙｓｔａｌ  Ｄｉｓｐｌａｙ）モジュールである表示部（液晶パネル）１０を具備している。液晶パネル１０は、マトリクス状に配置された複数の画素１１を具備している。複数の画素１１の各々は、薄膜トランジスタ（Ｔｈｉｎ  Ｆｉｌｍ  Ｔｒａｎｓｉｓｔｅｒ：ＴＦＴ）１２と、画素容量１５とを具備している。画素容量１５は、画素電極と、画素電極に対向する対向電極とを具備している。ＴＦＴ１２は、ドレイン電極１３と、画素電極に接続されたソース電極１４と、ゲート電極１６とを具備している。
【００１７】
本発明の実施形態によるＴＦＴ型液晶表示装置１は、更に、複数のゲート線と、複数のデータ線とを具備している。複数のゲート線は、それぞれ、行に設けられた画素１１のＴＦＴ１２のゲート電極１６に接続されている。複数のデータ線は、それぞれ、列に設けられた画素１１のＴＦＴ１２のドレイン電極１３に接続されている。
【００１８】
本発明の実施形態によるＴＦＴ型液晶表示装置１は、更に、液晶パネル１０の複数の画素１１を駆動するためのドライバとして、ゲートドライバ２０と、ソースドライバ３０とを具備している。ゲートドライバ２０は、チップ上（図示しない）に設けられ、複数のゲート線に接続されている。ソースドライバ３０は、チップ上に設けられ、複数のデータ線に接続されている。
【００１９】
本発明の実施形態によるＴＦＴ型液晶表示装置１は、更に、タイミングコントローラ２を具備している。タイミングコントローラ２は、チップ上に設けられている。
【００２０】
タイミングコントローラ２は、１水平期間において、垂直クロック信号ＶＣＫと、複数のゲート線を１番目から最終番目まで順番に選択するための垂直シフトパルス信号ＳＴＶとをゲートドライバ２０に出力する。例えば、ゲートドライバ２０は、垂直シフトパルス信号ＳＴＶと垂直クロック信号ＶＣＫとに応じて、複数のゲート線のうちの１つのゲート線を選択したものとする。この場合、選択信号を１つのゲート線に出力する。この選択信号は、上記１つのゲート線に対応する１ライン分の画素１１のＴＦＴ１２のゲート電極１６に供給され、ＴＦＴ１２は選択信号によりオンする。他のゲート線についても同じである。
【００２１】
タイミングコントローラ２は、１画面（１フレーム）分の表示データＤＡＴＡと、クロック信号ＣＬＫと、シフトパルス信号ＳＴＨとをソースドライバ３０に出力する。１画面分の表示データＤＡＴＡは、１ライン目から最終ライン目までの表示データを含んでいる。１ライン分の表示データは、複数のデータ線のそれぞれに対応する複数の表示データを含んでいる。ソースドライバ３０は、シフトパルス信号ＳＴＨとクロック信号ＣＬＫとに従って、複数の表示データをそれぞれ複数のデータ線に出力する。このとき、複数のゲート線のうちの１つのゲート線と複数のデータ線とに対応する画素１１のＴＦＴ１２はオンしている。このため、上記画素１１の画素容量１５には、それぞれ、複数の表示データが書き込まれ、次の書き込みまで保持される。これにより、１ライン分の表示データＤＡＴＡが表示される。
【００２２】
図２は、ソースドライバ３０の構成を示している。ソースドライバ３０は、駆動部３９と、複数の出力ノードＮＤと、を具備している。複数の出力ノードＮＤは、それぞれ、複数のデータ線に接続されている。駆動部３９は、階調電圧供給部３８を具備している。階調電圧供給部３８は、シフトレジスタ３１と、データレジスタ３２と、データラッチ回路３３と、レベルシフタ３４と、Ｄ／Ａコンバータ３５と、出力バッファ３６と、階調電圧生成回路３７とを具備している。
【００２３】
階調電圧生成回路３７は、直列接続された階調抵抗素子を備えている。この階調電圧生成回路３７は、電源回路（図示しない）からの基準電圧を階調抵抗素子により分圧し、複数の階調電圧を生成する。
【００２４】
シフトレジスタ３１は、シフトパルス信号ＳＴＨをクロック信号ＣＬＫに同期させて順にシフトさせ、データレジスタ３２に出力する。データレジスタ３２は、タイミングコントローラ２からの複数の表示データを、シフトレジスタ３１からのシフトパルス信号ＳＴＨに同期して取り込み、データラッチ回路３３に出力する。
【００２５】
データラッチ回路３３は、複数のデータラッチ回路を備えている。複数のデータラッチ回路は、複数の表示データをそれぞれ同タイミングでラッチし、レベルシフタ３４に出力する。
【００２６】
レベルシフタ３４は、複数のレベルシフタを備えている。複数のレベルシフタは、それぞれデータラッチ回路３３からの複数の表示データに対してレベル変換を行い、Ｄ／Ａコンバータ３５に出力する。
【００２７】
Ｄ／Ａコンバータ３５は、複数のＤ／Ａコンバータを備えている。複数のＤ／Ａコンバータは、それぞれレベルシフタ３４からの複数の表示データに対してデジタル／アナログ変換を行う。即ち、複数のＤ／Ａコンバータの各々は、複数の階調電圧の中から、表示データに応じた出力階調電圧を選択して、出力バッファ３６に出力する。
【００２８】
出力バッファ３６は、複数のバッファを備えている。複数のアンプ回路の出力は、それぞれ複数の出力ノードＮＤを介して複数のデータ線に接続されている。複数のバッファは、それぞれ、出力階調電圧を複数のデータ線に出力する。
【００２９】
ソースドライバ３０は、仕様によって、その駆動方式が切り替えられる。この場合、ソースドライバ３０は、第１又は第２仕様のうちの１つの仕様により使用される。第１仕様では、第１駆動方式として１ライン反転駆動方式が採用され、第２仕様では、第２駆動方式として複数ライン反転駆動方式が採用される。
【００３０】
これを実現するために、ソースドライバ３０は、更に、指示部５０を具備している。駆動部３９は、更に、チャージシェア実行部４０を具備している。指示部５０は、駆動部３９の階調電圧供給部３８と、チャージシェア実行部４０とに接続されている。チャージシェア実行部４０は、階調電圧供給部３８の出力バッファ３６と、複数の出力ノードＮＤとの間に接続されている。指示部５０とチャージシェア実行部４０については後述する。
【００３１】
また、階調電圧生成回路３７は、複数の階調電圧として、複数の正極性階調電圧と、複数の負極性階調電圧とを生成する。複数の負極性階調電圧は、それぞれ、複数の正極性階調電圧とは逆極性の電圧である。
【００３２】
また、タイミングコントローラ２は、第１又は第２仕様を表す極性反転用信号ＰＯＬと、ストローブ信号ＳＴＢとをソースドライバ３０に出力する。
【００３３】
ここで、複数のデータ線のうちの第１データ線群は、奇数列のデータ線であり、複数のデータ線のうちの第２データ線群は、偶数列のデータ線であるものとする。第１、第２データ線群は、それぞれ複数の出力ノードＮＤのうちの第１、第２出力ノードＮＤ群に接続されている。この場合、複数の表示データのうちの奇数番目の表示データは、奇数列のデータ線に対応し、複数の表示データのうちの偶数番目の表示データは、偶数列のデータ線に対応しているものとする。
【００３４】
図３は、指示部５０の構成を示している。指示部５０は、フリップフロップ５１、５２と、排他的論理和（ＥＸＯＲ）回路５３と、論理積回路（ＡＮＤ）回路５４と、を備えている。フリップフロップ５１は、その入力に極性反転用信号ＰＯＬが供給され、そのクロック入力にストローブ信号ＳＴＢが供給される。フリップフロップ５２は、その入力にフリップフロップ５１の出力が供給され、そのクロック入力にストローブ信号ＳＴＢが供給される。ＥＸＯＲ回路５３は、その入力に極性反転用信号ＰＯＬとフリップフロップ５２の出力とが供給される。ＡＮＤ回路５４は、その入力にＥＸＯＲ回路５３の出力が供給される。また、ＥＸＯＲ回路５３の出力は、Ｄ／Ａコンバータ３５に接続されている。
【００３５】
図４は、チャージシェア実行部４０の構成を示している。チャージシェア実行部４０は、複数の配線４１と、複数の配線４２と、第１短絡用配線（以下、短絡用配線）４３と、第２短絡用配線（以下、短絡用配線）４４と、第１スイッチ部と、第２スイッチ部と、第３スイッチ部と、第４スイッチ部と、を備えている。
【００３６】
複数の配線４１は、それぞれ、出力バッファ３６の複数のバッファと、複数の出力ノードＮＤとに接続されている。短絡用配線４３、４４は、それぞれ、第１、第２データ線群を短絡するために設けられている。
【００３７】
第１スイッチ部は、複数のスイッチＳＷ１を備えている。複数の配線４１は、それぞれ、出力バッファ３６の複数のバッファと、複数のスイッチＳＷ１とに接続されている。複数の配線４２は、それぞれ、複数のスイッチＳＷ１と、複数の出力ノードＮＤとに接続されている。複数のスイッチＳＷ１には、ストローブ信号ＳＴＢが供給される。複数のスイッチＳＷ１は、ストローブ信号ＳＴＢの信号レベルがハイレベル“Ｈ”のときに、オンする。
【００３８】
第２スイッチ部は、スイッチＳＷ２群を備えている。スイッチＳＷ２群は、それぞれ、複数の配線４２のうちの、奇数番目の配線４２である１、３、５、…番目の配線４２と、偶数番目の配線４２である２、４、６、…番目の配線４２とに接続されている。スイッチＳＷ２群には、指示部５０のＡＮＤ回路５４の出力が供給される。スイッチＳＷ２群は、ＡＮＤ回路５４の出力がハイレベル“Ｈ”のときに、オンする。
【００３９】
第３スイッチ部は、スイッチＳＷ３群を備えている。スイッチＳＷ３群は、それぞれ、１、３、５、…番目の配線４２と、短絡用配線４３とに接続されている。スイッチＳＷ３群には、ストローブ信号ＳＴＢが供給される。スイッチＳＷ３群は、ストローブ信号ＳＴＢの信号レベルがハイレベル“Ｈ”のときに、オンする。
【００４０】
第４スイッチ部は、スイッチＳＷ４群を備えている。スイッチＳＷ４群は、それぞれ、２、４、６、…番目の配線４２と、短絡用配線４４とに接続されている。スイッチＳＷ４群には、ストローブ信号ＳＴＢが供給される。スイッチＳＷ４群は、ストローブ信号ＳＴＢの信号レベルがハイレベル“Ｈ”のときに、オンする。
【００４１】
次に、本発明の実施形態によるＴＦＴ型液晶表示装置１の動作について説明する。図５は、指示部５０の動作を示すタイミングチャートである。図６は、チャージシェア実行部４０の動作を示すタイミングチャートである。
【００４２】
（１ライン反転駆動方式）
極性反転用信号ＰＯＬが第１仕様を表す場合、極性反転用信号ＰＯＬの信号レベルは、水平期間毎にロウレベル“Ｌ”とハイレベル“Ｈ”とを繰り返す。１水平期間は、表示期間と、チャージシェア（以下、ＣＳと称する）期間とを含んでいる。チャージシェア期間は、表示期間と次の表示期間とが切り替わるときの期間であり、表示期間よりも非常に短い。ストローブ信号ＳＴＢの信号レベルは、ＣＳ期間において、ハイレベル“Ｈ”である。
【００４３】
指示部５０は、極性反転用信号ＰＯＬとストローブ信号ＳＴＢとに従って、駆動部３９に１ライン反転駆動方式を実行させるための第１制御信号を出力する。第１制御信号は、制御信号ＯＵＴ１１、ＯＵＴ２１を含んでいる。制御信号ＯＵＴ１１の信号レベルは、常にハイレベル“Ｈ”である。制御信号ＯＵＴ２１の信号レベルは、ＣＳ期間において、ハイレベル“Ｈ”である。
【００４４】
この場合、Ｄ／Ａコンバータ３５は、制御信号ＯＵＴ１１に応じて、１ライン反転駆動方式を実行することを認識する。
【００４５】
表示期間において、ストローブ信号ＳＴＢの信号レベルがロウレベル“Ｌ”である。このとき、チャージシェア実行部４０の複数のスイッチＳＷ１は、ストローブ信号ＳＴＢ“Ｌ”に応じてオンし、複数の出力ノードＮＤを介して出力バッファ３６の複数のバッファと複数のデータ線とを接続する。
【００４６】
Ｄ／Ａコンバータ３５は、複数の正極性階調電圧の中から、奇数番目の表示データに応じた第１出力階調電圧を選択して、出力バッファ３６の複数のバッファのうちの、奇数番目のバッファである１、３、５、…番目のバッファに出力する。１、３、５、…番目のバッファは、第１出力階調電圧をチャージシェア実行部４０と第１出力ノードＮＤ群を介して第１データ線群に供給する。
【００４７】
Ｄ／Ａコンバータ３５は、複数の負極性階調電圧の中から、偶数番目の表示データに応じた第２出力階調電圧を選択して、出力バッファ３６の複数のバッファのうちの、偶数番目のバッファである２、４、６、…番目のバッファに出力する。２、４、６、…番目のバッファは、第２出力階調電圧をチャージシェア実行部４０と第２出力ノードＮＤ群を介して第２データ線群に供給する。
【００４８】
次の表示期間においても、ストローブ信号ＳＴＢの信号レベルがロウレベル“Ｌ”である。このとき、チャージシェア実行部４０の複数のスイッチＳＷ１は、ストローブ信号ＳＴＢ“Ｌ”に応じてオンし、複数の出力ノードＮＤを介して出力バッファ３６の複数のバッファと複数のデータ線とを接続する。
【００４９】
Ｄ／Ａコンバータ３５は、複数の負極性階調電圧の中から、奇数番目の表示データに応じた第２出力階調電圧を選択して、出力バッファ３６の１、３、５、…番目のバッファに出力する。１、３、５、…番目のバッファは、第２出力階調電圧をチャージシェア実行部４０と第１出力ノードＮＤ群を介して第１データ線群に供給する。即ち、階調電圧供給部３８は、出力階調電圧の極性を反転して第１データ線群に供給する。
【００５０】
Ｄ／Ａコンバータ３５は、複数の正極性階調電圧の中から、偶数番目の表示データに応じた第１出力階調電圧を選択して、出力バッファ３６の２、４、６、…番目のバッファに出力する。２、４、６、…番目のバッファは、第１出力階調電圧をチャージシェア実行部４０と第２出力ノードＮＤ群を介して第２データ線群に供給する。即ち、階調電圧供給部３８は、出力階調電圧の極性を反転して第１データ線群に供給する。
【００５１】
表示期間と次の表示期間とが切り替わるＣＳ期間において、ストローブ信号ＳＴＢの信号レベルがハイレベル“Ｈ”である。このとき、チャージシェア実行部４０の複数のスイッチＳＷ１は、それぞれ、ストローブ信号ＳＴＢ“Ｈ”に応じてオフし、出力バッファ３６の複数のバッファと複数のデータ線との接続を解除する。
【００５２】
スイッチＳＷ３群は、それぞれ、ストローブ信号ＳＴＢ“Ｈ”に応じてオンし、第１データ線群と短絡用配線４３とを接続する。スイッチＳＷ４群は、それぞれ、ストローブ信号ＳＴＢ“Ｈ”に応じてオンし、第２データ線群と短絡用配線４４とを接続する。これにより、第１データ線群の各々はスイッチＳＷ３群により短絡用配線４３を介して接続され、第２データ線群の各々はスイッチＳＷ４群により短絡用配線４４を介して接続される。
【００５３】
ＣＳ期間において、制御信号ＯＵＴ２１の信号レベルは、ハイレベル“Ｈ”である。このため、スイッチＳＷ２群は、それぞれ、制御信号ＯＵＴ２１“Ｈ”に応じてオンし、第１データ線群と第２データ線群とを接続する。この場合、第１出力階調電圧と第２出力階調電圧との中間のコモン電圧（第１電圧）が第１、第２データ線群に供給される。
【００５４】
以上により、１ライン反転駆動方式では、ドライバ３０が水平期間毎に出力階調電圧の極性を反転させているため、表示部１０の画質の劣化を防止することができる。一方、ドライバ３０が１水平期間に第１又は第２出力階調電圧とコモン電圧（第１電圧）とを交互にデータ線に供給するため、表示部１０の大型化に伴い、表示部１０を駆動するときの消費電力が多くなる。
【００５５】
（複数ライン反転駆動方式）
極性反転用信号ＰＯＬが第２仕様を表す場合、極性反転用信号ＰＯＬの信号レベルは、常にハイレベル“Ｈ”である。複数ライン反転駆動方式では、１ライン反転駆動方式と重複する説明を省略する。
【００５６】
指示部５０は、極性反転用信号ＰＯＬとストローブ信号ＳＴＢとに従って、駆動部３９に複数ライン反転駆動方式を実行させるための第２制御信号を出力する。第２制御信号は、制御信号ＯＵＴ１２、ＯＵＴ２２を含んでいる。制御信号ＯＵＴ１２の信号レベルは、常にロウレベル“Ｌ”である。このため、チャージシェア実行部４０の複数のスイッチＳＷ１は、ストローブ信号ＳＴＢ“Ｌ”に応じてオンし、複数の出力ノードＮＤを介して出力バッファ３６の複数のバッファと複数のデータ線とを接続する。制御信号ＯＵＴ２２の信号レベルは、常にロウレベル“Ｌ”である。
【００５７】
この場合、Ｄ／Ａコンバータ３５は、制御信号ＯＵＴ１２に応じて、複数ライン反転駆動方式を実行することを認識する。
【００５８】
表示期間及び次の表示期間において、Ｄ／Ａコンバータ３５は、複数の正極性階調電圧の中から、奇数番目の表示データに応じた第１出力階調電圧を選択して、出力バッファ３６の複数のバッファのうちの、奇数番目のバッファである１、３、５、…番目のバッファに出力する。１、３、５、…番目のバッファは、第１出力階調電圧をチャージシェア実行部４０と第１出力ノードＮＤ群を介して第１データ線群に供給する。
【００５９】
Ｄ／Ａコンバータ３５は、複数の負極性階調電圧の中から、偶数番目の表示データに応じた第２出力階調電圧を選択して、出力バッファ３６の複数のバッファのうちの、偶数番目のバッファである２、４、６、…番目のバッファに出力する。２、４、６、…番目のバッファは、第２出力階調電圧をチャージシェア実行部４０と第２出力ノードＮＤ群を介して第２データ線群に供給する。
【００６０】
表示期間と次の表示期間とが切り替わるＣＳ期間において、スイッチＳＷ３群は、それぞれ、ストローブ信号ＳＴＢ“Ｈ”に応じてオンし、第１データ線群と短絡用配線４３とを接続する。スイッチＳＷ４群は、それぞれ、ストローブ信号ＳＴＢ“Ｈ”に応じてオンし、第２データ線群と短絡用配線４４とを接続する。これにより、第１データ線群の各々はスイッチＳＷ３群により短絡用配線４３を介して接続され、第２データ線群の各々はスイッチＳＷ４群により短絡用配線４４を介して接続される。
【００６１】
ＣＳ期間において、制御信号ＯＵＴ２２の信号レベルは、ロウレベル“Ｌ”である。このため、スイッチＳＷ２群は、それぞれ、制御信号ＯＵＴ２２“Ｌ”に応じてオフしている。この場合、第１、第２出力階調電圧と第１電圧との間の第２電圧が第１、第２データ線群に供給される。
【００６２】
ここで、図７に示されるように、ドライバ３０が１水平期間に常に第１又は第２出力階調電圧をデータ線に供給する場合、表示部１０の画質が劣化してしまう。また、ドライバ３０が水平期間毎に出力階調電圧の極性を反転させなくても、１水平期間に第１又は第２出力階調電圧とコモン電圧（第１電圧）とを交互にデータ線に供給する場合、表示部１０を駆動するときの消費電力が多くなる。
【００６３】
以上により、複数ライン反転駆動方式では、ドライバ３０が水平期間毎に出力階調電圧の極性を反転させずに、１水平期間に第１又は第２出力階調電圧と第２電圧とを交互にデータ線に供給する。第２電圧は、第１又は第２出力階調電圧とコモン電圧（第１電圧）との間の電圧である。このため、表示部１０の画質の劣化をある程度防止し、１ライン反転駆動方式よりも消費電力を低減することができる。
【００６４】
本発明の実施形態によるＴＦＴ型液晶表示装置１によれば、客先の要望によっては画質の劣化よりも消費電力の低減を優先する場合、複数ライン反転駆動方式を採用することにより、客先の要望に応じることができる。
【００６５】
本発明の実施形態によるＴＦＴ型液晶表示装置１によれば、客先の要望によっては１ライン反転駆動方式、複数ライン反転駆動方式のどちらかを選択的に使用する場合、指示部５０が第１又は第２制御信号を出力することにより、客先の要望に応じることができる。
【００６６】
なお、図８に示されるように、スイッチＳＷ３群、ＳＷ４群は、それぞれ、短絡用配線４３、４４上に設けられていてもよい。具体的には、スイッチＳＷ３群は、短絡用配線４３上に設けられ、それぞれ、１、３、５、…番目の配線４２に接続されている。スイッチＳＷ４群は、短絡用配線４４上に設けられ、それぞれ、２、４、６、…番目の配線４２と、短絡用配線４４とに接続されている。この場合、ＣＳ期間において、スイッチＳＷ３群は、それぞれ、ストローブ信号ＳＴＢ“Ｈ”に応じてオンし、第１データ線群と短絡用配線４３とを接続する。スイッチＳＷ４群は、それぞれ、ストローブ信号ＳＴＢ“Ｈ”に応じてオンし、第２データ線群と短絡用配線４４とを接続する。これにより、第１データ線群の各々はスイッチＳＷ３群により直接接続され、第２データ線群の各々はスイッチＳＷ４群により直接接続される。
【００６７】
また、図９に示されるように、２ドット反転の場合、第１データ線群は、１、４、５、８、９、…列目のデータ線であり、第２データ線群は、２、３、６、７、１０、１１、…列目のデータ線であるものとする。
【００６８】
また、図１０に示されるように、２ドット反転の場合でも、スイッチＳＷ３群、ＳＷ４群は、それぞれ、短絡用配線４３、４４上に設けられていてもよい。
【符号の説明】
【００６９】
１    ＴＦＴ型液晶表示装置（表示装置）、
２    タイミングコントローラ、
１０    液晶パネル（表示部）、
１１    画素、
１２    ＴＦＴ（Ｔｈｉｎ  Ｆｉｌｍ  Ｔｒａｎｓｉｓｔｏｒ；薄膜トンジスタ）、
１３    ドレイン電極、
１４    ソース電極、
１５    画素容量、
１６    ゲート電極、
２０    ゲートドライバ、
３０    ソースドライバ、
３１    シフトレジスタ、
３２    データレジスタ、
３３    データラッチ回路、
３４    レベルシフタ、
３５    デジタル／アナログ（Ｄ／Ａ）コンバータ、
３６    出力バッファ、
３７    階調電圧生成回路、
３８    階調電圧供給部、
３９    駆動部、
４０    チャージシェア実行部、
ＳＷ１    スイッチ（第１スイッチ部）、
ＳＷ２    スイッチ（第２スイッチ部）、
ＳＷ３    スイッチ（第３スイッチ部）、
ＳＷ４    スイッチ（第４スイッチ部）、
４１、４２    配線、
４３    短絡用配線（第１短絡用配線）、
４４    短絡用配線（第２短絡用配線）、
５０    指示部、
５１、５２    フリップフロップ、
５３    排他的論理和（ＥＸＯＲ）回路、
５４    論理積回路（ＡＮＤ）回路、
ＣＬＫ    クロック信号、
ＤＡＴＡ    表示データ、
ＮＤ    出力ノード、
ＳＴＨ    シフトパルス信号、
ＳＴＶ    垂直シフトパルス信号、
ＶＣＫ    垂直クロック信号、
【図１】
2010256401.tif 000003
【図２】
2010256401.tif 000004
【図３】
2010256401.tif 000005
【図４】
2010256401.tif 000006
【図５】
2010256401.tif 000007
【図６】
2010256401.tif 000008
【図７】
2010256401.tif 000009
【図８】
2010256401.tif 000010
【図９】
2010256401.tif 000011
【図１０】
2010256401.tif 000012